(57)【特許請求の範囲】
【請求項１】
センター役物の球入口に可動羽根を回転自在に軸支し、該可動羽根の電気的駆動手段である電動アクチュエータを作動させることにより該可動羽根が起立状から外傾状に変動し、前記球入口が開成されることにより遊技球がセンター役物内に流入し得るようにしたパチンコ遊技機において、両端部から外方に広がる２つの略球形空間を磁気感知範囲とする磁気センサを一方の磁気感知範囲が球入口の外側となり他方の磁気感知範囲が球入口の内側となるように遊技盤面内に配設すると共に、該磁気センサの後方であって両磁気感知範囲の狭間に位置するように前記電動アクチュエータを配設したことを特徴とするパチンコ遊技機の不正入賞防止装置。
【請求項２】
一対の強磁性体のリードをガラス管内にて接離可能に対向させてなるリードスイッチを請求項１に記載した磁気センサとするパチンコ遊技機の不正入賞防止装置。
【発明の詳細な説明】
【技術分野】
【０００１】
本発明は、パチンコ遊技機において、遊技盤上に発射した遊技球を磁石により吸引し、センター役物に入賞させるといった不正がなされた場合に、その行為が適確に検知されるようにすることで、その不正行為が防止されるようにする装置に関するものである。
【背景技術】
【０００２】
第２種パチンコ遊技機は、周知のように、遊技盤の中央にセンター役物（大入賞口とも称される）が設けられ、該センター役物の上部両側に一対の球入口が形成され、該各球入口にはソレノイド等の電動アクチュエータを作動させることにより回転動し該球入口を開閉する可動羽根が夫々設けられ、遊技盤面を流下する遊技球が該球入口から該センター役物内に流入し、該遊技球が該センター役物内に設けられた特別入賞口に入賞すると大当たり状態が発生するように構成され、大当たり状態が発生すると、先ず第１ラウンドが始まることで前記可動羽根が継続的に煽動して該球入口が繰り返し開閉し、該センター役物内に遊技球が１０個入るか、もしくは該可動羽根が１８回煽動すると第１ラウンドが終り、続いて第２ラウンドが開始されて第１ラウンドと同様に可動羽根が継続的に煽動し、該センター役物内に遊技球が１０個入るか、もしくは該可動羽根が１８回煽動すると第２ラウンドが終って第３ラウンドが開始され、以下同様に最高で第１６ラウンドまで繰り返されることで、この大当たり状態の間に多数の賞球が遊技者に払い出されるように構成されたものである。
なお、下記特許文献１，２はこの種のパチンコ遊技機を例示するものである。
【特許文献１】特開２００３−３１０９３５号公報
【特許文献２】特開２００４−３３４２８号公報
【特許文献３】特開２００７−１３５７０９号公報
【発明の開示】
【発明が解決しようとする課題】
【０００３】
ところで、遊技機の前面には周知のように２重に透明樹脂板（透明ガラス板）が設けられているが、強力な磁石を使用することによっては、磁力が該透明樹脂版を貫通し、遊技盤上を流下する遊技球を吸引することができるため、不正行為者が磁石を上記球入口の付近に近づけて遊技球を不正にセンター役物内に入賞させ、大当たりを発生させることがあった。このような不正行為に対しては、上記特許文献３にも示されたように、磁気センサを設けることにより、不正が直ちに係員に報知されるようにする不正入賞防止装置が従来から設けられている。しかし、一般に磁気センサは感度を上げると遊技盤の裏側に設けられているソレノイドやモータ等の磁気作用により動いている電動アクチュエータが作動することによっても異常として検知してしまうので誤作動し易いという問題があった。また、遊技盤面上で十分に広い感知エリヤが確保されないと、不正行為を適確に検知できないという問題もあった。
本発明は上記課題を解決し、磁石による不正入賞を適確に防止し得るパチンコ遊技機を提供しようとするものである。
【課題を解決するための手段】
【０００４】
その課題を解決するため、本発明は請求項１に記載したように、センター役物の球入口に可動羽根を回転自在に軸支し、該可動羽根の電気的駆動手段である電動アクチュエータを作動させることにより該可動羽根が起立状から外傾状に変動し、前記球入口が開成されることにより遊技球がセンター役物内に流入し得るようにしたパチンコ遊技機において、両端部から外方に広がる２つの略球形空間を磁気感知範囲とする磁気センサを一方の磁気感知範囲が球入口の外側となり他方の磁気感知範囲が球入口の内側となるように該球入口の壁面内に配設すると共に、該磁気センサの後方であって両磁気感知範囲の狭間に位置するように前記電動アクチュエータを配設したことを特徴とする。
また、本発明は、請求項１に記載した磁気センサが、一対の強磁性体のリードをガラス管内にて接離可能に対向させてなるものであることを特徴とする。
【発明の効果】
【０００５】
本発明によれば、磁気センサにより可動羽根を有する球入口の外側および内側について広範囲に磁力を検知することができる。また、機内に設けられたソレノイドやモータ等の電動アクチュエータにより誤作動を起こすおそれがない。このため磁石を使用した不正入賞行為を適確に検知することができる。
【発明を実施するための最良の形態】
【０００６】
次に本発明に係るパチンコ遊技機の実施形態を図面に従い説明する。図１は本発明に係るパチンコ遊技機の遊技盤の正面図を示す。該遊技盤１は、打球発射装置（図示せず）から発射された遊技球を誘導するために前面に環状の外レール２と内レール３が設けられ、その内側の遊技領域の中央にセンター役物４が設けられる。５ａ，５ｂは遊技球が流下する遊技盤の左側領域上部と右側領域上部に夫々設けられた普通入賞口、６ａ，６ｂはその下方に夫々設けられた普通入賞口、７ａ，７ｂは遊技盤の左側領域下部と右側領域下部に夫々設けられた始動入賞口、８はセンター役物４の直下方に設けられソレノイドの作動により一対の翼片９，９が開閉動するように構成された所謂チューリップ型の電動開閉始動入賞口である。該電動開閉始動入賞口８は、その上方に遊技球が通過することにより電気的に検出される通過ゲート８ａが一体に設けられている。なお、１０は遊技領域の下端部に設けられたアウト球排出口、１１ａ，１１ｂは内レール３の内側縁に設けられたランプ付き装飾体である。
【０００７】
センター役物４は、図２、図３に拡大して示すように、遊技盤１面に取着される取付基板１２前面の中央上部に紋型装飾体１３が形成され、該紋型装飾体１３の両側に球入口１４ａ，１４ｂが形成される。該球入口１４ａ，１４ｂに、可動羽根１５ａ，１５ｂが起立状から外傾状に変動し得るように回動自在に軸支される。該可動羽根１５ａ，１５ｂは、図４（イ）（ロ）に示すように、支軸１６ａ，１６ｂの先端に固設され、該支軸１６ａ，１６ｂの後端部にクランク１７ａ，１７ｂが固設されている。１８ａ，１８ｂは該センター役物４の内部に鉛直に固設された電気的駆動手段としての電動アクチュエータ（ソレノイド）、１９ａ，１９ｂは該電動アクチュエータ１８ａ，１８ｂのプランジャに固着された作動片である。２０ａ，２０ｂは、その軸受部２１ａ，２１ｂを軸支することにより傾動自在に支持された傾動片である。該傾動片２０ａ，２０ｂに突設されたピン２２ａ，２２ｂを該作動片１９ａ，１９ｂに形成された横長孔２３ａ，２３ｂに遊嵌すると共に、クランク１７ａ，１７ｂの先端に突設されたピン２４ａ，２４ｂを該傾動片２０ａ，２０ｂに形成された長孔２５ａ，２５ｂに遊嵌する。
【０００８】
前記電動アクチュエータ１８ａ，１８ｂが励磁され作動片１９ａ，１９ｂが上動すると、傾動片２０ａ，２０ｂが上傾し、図４（ロ）に示すように支軸１６ａ，１６ｂを矢視方向へ回転させ、可動羽根１５ａ，１５ｂが図４（イ）の起立状から外傾状に変動する。これに伴い図２に示すように球入口１４ａ，１４ｂが開成され、遊技球が該球入口１４ａ，１４ｂからセンター役物４内に流入し得るようになる。２６はセンター役物４内であって球入口１４ａ，１４ｂの内側に山形に形成された球遊動通路である。２７ａ，２７ｂは該球入口１４ａ，１４ｂからセンター役物４内に流入した遊技球を検出するために該球遊動通路２６の両端部に設けられた球検出スイッチで、遊技球は該球検出スイッチ２７ａ，２７ｂの環状孔からその下段に形成された凹面状通路２８に落下する。
【０００９】
また、図２に示すように、凹面状通路２８の中央部後壁面に窓孔２９が形成され、該窓孔２９の後側に球停留装置３０が設けられる。図５（イ）（ロ）に示すように、該球停留装置３０は、上端部で軸着され前後に自在に揺動する振分部材３１と、センター役物４の内部中央に鉛直に固設された電気的駆動手段としての電動アクチュエータ（ソレノイド）３２と、該電動アクチュエータ３２のプランジャに固着され振分部材３１と連係する規制部材３３とからなる。振分部材３１は、下端に後記する球落口３８を開閉する蓋片３１ａが設けられ、軸支部から後方へ突出する腕片３４の先端にピン３４ａが設けられる。一方、規制部材３３は、その上端に前方へ突出する可動片３５が設けられ、該可動片３５先端の二股部３６に前記腕片３４のピン３４ａが係合している。また、規制部材３３の下端は、前方へ屈曲して球止片３７が設けられる。該球止片３７の前端部は、球落口３８の下方に位置する。そして、規制部材３３が上昇したとき、球止片３７が球落口３８の真下に位置し、該球止片３７に入った遊技球を下から支持するようにしている。また、この状態で、規制部材３３が下降すると、前記遊技球は支持を失い落下することになる。
【００１０】
前記球停留装置３０における振分部材３１の下方には、該振分部材３１の揺動動作により遊技球を受け入れられるように開閉する球落口３８が設けられ、該球落口３８に球検出スイッチ３９（図５では省略）の環状孔が合致している。球落口３８の両側には、左右両サイドへ伸びるワープ通路４０ａ，４０ｂが形成される。これらワープ通路４０ａ，４０ｂは両側で下方へ屈曲し、その下端に後記する傾斜棚５２の両側上面に位置する球出口４１ａ，４１ｂが設けられる。これらワープ通路４０ａ，４０ｂにより囲まれる部位は、その後側に位置するディスプレイ４８を遊技者が前側から視認可能なように、遊技球の直径寸法よりも少し広い幅を離して平行な前後一対の透明樹脂板が張設された透光領域４２としている。
【００１１】
前記透光領域４２の透明樹脂板間に、球落口３８の下方に位置して該球落口３８から落下する遊技球を下方へ導く中央縦通路４３が形成される。該中央縦通路４３には、その途中に通路の内側へ突出し落下する遊技球を一時的に受け止める第一球受片４４ａとその下方に位置する第二球受片４４ｂとが設けられる。これら第一・第二球受片４４ａ，４４ｂは、互いに位置を違えて設けられかつそれら上面が中央縦通路４３の中央寄りへ下傾し、その上面に遊技球が乗っても停止できずに落下するようになっている。更に、第二球受片４４ｂの下方に上面が弧状に窪み、遊技球の排出方向が正面から見て右側に振った第三球受片４４ｃが設けられる。
【００１２】
そして、両透明樹脂板間の下部に、中央縦通路４３の下端から落下する遊技球を受け入れる球転動通路４５が設けられる。該球転動通路４５は、前記中央縦通路４３の真下位置である中央部が一番低くなっており、その両側上面が中央部に向かって緩やかに下傾している。また、中央縦通路４３中央部の後側壁に、遊技球を傾斜棚５２の左右幅方向のほぼ中央部に落下させる球送り口４６が開設される。
【００１３】
前記球停留装置３０の電動アクチュエータ３２が消磁しているときは、図５（イ）に示すようにそのプランジャが下方へ突出して規制部材３３が下降位置に停止し、振分部材３１が前方へ揺動して突出し球落口３８の上面を塞いでいる。よって、この状態で凹面状通路２８から窓孔２９を介して導かれた遊技球は、振分部材３１により左右いずれかに振り分けられ、ワープ通路４０ａ，４０ｂ内を通ってその下端の球出口４１ａ，４１ｂから排出されて傾斜棚５２の上面に落下し、該傾斜棚上にて自由流転する。また、この状態では、該規制部材３３下端の球止片３７が中央縦通路４３の後側壁に開設された縦溝４７を介してその中央縦通路４３内に介入し、第一球受片４４ａの近傍に達しており、その第一球受片４４ａ上面に乗る遊技球を支えてそれより下方へ落下させないようにしている。
【００１４】
これに対し、電動アクチュエータ３２が励磁すると、図５（ロ）に示すようにそのプランジャが上方へ収縮して規制部材３３が上昇位置に停止し、同時に振分部材３１が後方へ揺動して球落口３８を遊技球が入り得るように開放する。よって、この状態で凹面状通路２８から窓孔２９を介して後方へ導かれた遊技球は、球落口３８に入り易い。該球落口３８に入った遊技球は、その下面を規制部材３３下端の球止片３７により支持され、電動アクチュエータ３２が消磁して規制部材３３が下がらない限り中央縦通路４３に落下しないようになっている。また、その後に窓孔２９から入る遊技球は、球落口３８に保留される遊技球によって振り分けられ、ワープ通路４０ａ，４０ｂのいずれかに流入する。
【００１５】
この状態で、電動アクチュエータ３２が消磁すると、規制部材３３が下降し該規制部材３３によって球落口３８に保留されていた遊技球が第一球受片４４ａの上面に落下する。また、同時に振分部材３１が前方へ突出して球落口３８を塞ぐ。このとき、前記遊技球は規制部材３３に支持され第一球受片４４ａの上面に保持される。そして、電動アクチュエータ３２が再び励磁すると、規制部材３３が上昇すると共に振分部材３１が後退して球落口３８を開放する。同時に、第一球受片４４ａの上面に乗っていた遊技球が規制部材３３から開放され、第二球受片４４ｂの上面に一時的に乗りつつ更にその下方の第三球受片４４ｃ上面に乗り、図６（イ）に示すようにその下流側の端縁から球転動通路４５の上面に落下する。
【００１６】
第三球受片４４ｃの流下端縁は球転動通路４５を正面から見て右側を向いているので、そこから排出される遊技球は勢いがつき易い。そこで、該球転動通路４５の上面が中央部に向かって緩やかに下傾していることから、前記遊技球は図６（イ）鎖線に示すようにその中央部を基点として左右両サイドへ減衰しながら往復運動する。そして、該遊技球は最終的に中央部に寄り、球送り口４６を介して傾斜棚５２上面の中央に落下する。球送り口４６の中央縦通路４３に沿った両側縁部は、その前面が図６（ロ）に示すように前方へ突出し、両突出部から始まる両側前面が、それぞれ球転動通路４５に沿って外側へ向かうに従い漸次後方へ傾くテーパー面４５ａに形成されている。
【００１７】
これにより、球転動通路４５を球送り口４６を中心として左右に往復運動する遊技球は、球送り口４６に近づくにつれテーパー面４５ａに接触して球送り口４６から離されるように誘導される。よって、例えば、該遊技球が球送り口４６の両内側縁に当たって停止し、そこで往復運動が止まってしまうことはなくなり、遊技者はその遊技球の動きを長く楽しむことができる。
【００１８】
センター役物４内の球転動通路４５の下方に、取付基板１２に開設された窓開口４９と連通するようにして前側から内部が視認できる遊技室５０が形成されている。図７に示すように該遊技室５０には、その後側正面壁５０ａの中央に装飾体としての人形５１が突出状に設けられる。また、遊技室５０内の中間高さ位置に、横断状に配置され後方へ向けて緩やかに下傾する傾斜棚５２が設けられる。該傾斜棚５２の後端縁は、遊技球が落下し得る間隔５３を離して人形５１と相対している。該遊技室５０の床面５４は緩やかな前傾状に形成され、その前端縁中央に特別入賞口５５が設けられ、該特別入賞口５５の両側にそれぞれやや広めの普通入賞口５６，５６が形成される。該特別入賞口５５には、球検出スイッチ５７が配設される。普通入賞口５６，５６にあっては、その下流側に図示しない球検出スイッチが配設される。
【００１９】
図８に示すように前記人形５１の腹部に、繰り返し前方に進出可能に設けられたポケット形の進退動型電動部材５８が装着される。該進退動型電動部材５８は、水平に配置されると共に前端に上面が開口したポケット部５８ａが設けられる。後側正面壁５０ａの後側に、進退動型電動部材５８に連結され該進退動型電動部材５８を動作させるための電気的駆動手段としての電動アクチュエータ（ソレノイド）５９が水平に配置される。また、人形５１の後側に相当する後側正面壁５０ａの裏側に遊技球が通過し得る通路６０が形成され、該通路６０は人形５１の股下部に開設された放出口６１に連通している。６２は床面５４の下側に配置され、電気的駆動手段としての電動アクチュエータ（ソレノイド）６３の作動により枢支部６４を支点として鉛直面内で上下に傾動するように支持された停留レバーである。そして、その上・下方向への傾動により該停留レバー６２の先端６２ａが放出口６１と相対するように床面５４より出没し、放出口６１から放出する遊技球を該停留レバー６２により一時停留するようになっている。また、放出口６１の両側であって後側正面壁５０ａに、前記通路６０と連通するサブ放出口６５が開設される。
【００２０】
図２、図７に示すように、人形５１の両側であって傾斜棚５２の両サイド奥部にそれぞれ半球殻状の回転型電動部材６６が設けられる。図９に示した回転型電動部材６６は、センター役物４を正面から見て右側に配置されるものであるが、左側に配置される回転型電動部材６６は右側に配置されるものと同じ構成からなるので図示は省略する。該回転型電動部材６６はその球面が前方を向き回転軸６７により支持され、該回転軸６７の後端に減速機付モータ６８が連繋される。回転型電動部材６６には、その前面に等間隔に遊技球が通過できる透孔６９が形成される。また、回転軸６７に該回転軸６７に対して直角となるように回転円板８１が固着され、該回転円板８１の外周縁部に回転軸６７を中心とする放射線状にかつ等間隔にスリット８２が設けられる。回転円板８１の一側に、該回転円板８１の外周縁部を前側と後側から挟むようにして投光器と受光器とを備えた検出器８３が配設される。
【００２１】
回転型電動部材６６は、減速機付モータ６８の駆動により図９矢印の方向、すなわちセンター役物４を正面から見て時計回り方向へ常時回転している。回転中の回転型電動部材６６は、前記スリット８２を検出器８３で検出することにより停止できるが、常に同じ位置で停止させている。このように、回転型電動部材６６を常に同じ位置で停止させるのは、センター役物４内に入った遊技球の特別入賞口５５へ入賞する入賞確率にばらつきがないようにしてその均一化を図るためである。一方、前記左側に配置された回転型電動部材６６は、図２のようにセンター役物４を正面から見て反時計回り方向へ回転している。そして、傾斜棚５２上面に落下した遊技球は、前記間隔５３から床面５４に落下するほか、該回転型電動部材６６の透孔６９から一旦その内側に入り、また、いずれかの透孔６９からその下方の曲面棚７０を介して床面５４に落下する。
【００２２】
更に、前記遊技室５０の後側正面壁５０ａに、人形５１の両側に位置して押出し部材７１が配置される。これら押出し部材７１は共に同じ構成からなるので、図１０（イ）（ロ）にセンター役物４を正面から見て左側に位置するもののみを示す。押出し部材７１は、両端部に支持孔７２を貫設した摺動枠７３の前面に支軸７４を突設し、該支軸７４の先端すなわち前端に人の手に模した当て片７５を固着して構成される。一方、遊技室５０の後側正面壁５０ａに支持枠７６が固着される。該支持枠７６には、後側正面壁５０ａの前後方向へ水平に貫設された軸孔７７が設けられる。また、支持枠７６の両側後面に、軸孔７７の中心軸と平行をなしかつ圧縮スプリング７８を巻装した支杆７９が後方へ突設される。そして、前記軸孔７７に支軸７４を挿通し、両支持孔７２に両支杆７９を挿通する。また、摺動枠７３の後側に、該摺動枠７３を圧縮スプリング７８の付勢に抗して前方へ押動する電気的駆動手段としての電動アクチュエータ（ソレノイド）８０が水平に配設されている。
【００２３】
そこで、電動アクチュエータ８０が消磁しているときは、図１０（イ）に示すように圧縮スプリング７８の付勢により摺動枠７３が後退し、支軸７４前端の当て片７５が後側正面壁５０ａの前面に寄っている。これに対し、電動アクチュエータ８０が励磁すると、図１０（ロ）に示すようにプランジャが前進して圧縮スプリング７８の付勢に抗して摺動枠７３を前方へ押す。これにより、当て片７５が前方へ突出して、傾斜棚５２の後端縁に接近する。その後端縁と当て片７４との隙間は、遊技球が通過し得ない寸法になっており、傾斜棚５２の上面を後方へ転動して突出動作する当て片７５に当る遊技球は、傾斜棚５２の上面を前側へ押し返されることになる。前記両当て片７５の前面は、真正面を向くというよりも少し中央の人形５１側を向くように設定されている。よって、該当て片７５に押し返された遊技球は、パチンコ遊技機の前面を覆う透明板保持枠（図示せず。）のガラス板（センター役物４の窓開口４９に該窓開口４９を塞ぐ前面透明壁がある場合は、該前面透明壁）に当たってポケット部８５ａに向かって流下し易いようになる。
【００２４】
本発明に係るパチンコ遊技機のセンター役物４は上記構成からなり、通過ゲート８ａを遊技球が通過すると抽選が行なわれ、その抽選によって一定の確率で当たりとなると電動開閉始動入賞口８が１回開閉する。そして、遊技球が始動入賞口７ａ，７ｂまたは該電動開閉始動入賞口８に入賞すると、ディスプレイ４８に数字、文字、図形といった図柄が変動表示され、遊技者はその図柄変動状態を透光領域４２を介して見ることができる。
【００２５】
その変動図柄は所定時間後に特定の図柄で停止し、例えば「１１１」で停止した場合は、可動羽根１５ａ，１５ｂが１回開閉動する。また、「２２２」で停止した場合は、可動羽根１５ａ，１５ｂが２回開閉動する。また、「７７７」で停止した場合は、遊技者に有利な特別遊技状態となり、可動羽根１５ａ，１５ｂが所定回数開閉を繰り返す。このため、球入口１４ａ，１４ｂに遊技球が入賞し易い状況が一定期間継続し、多数の遊技球がセンター役物４内に入り、その遊技球はさらに特別入賞口５５または普通入賞口５６に入賞することから、遊技者はその間に多くの賞球を獲得することができる。そしてこの特別遊技状態が終了した後は元の状態に戻る。
【００２６】
一方、上記変動図柄が「１１１」または「２２２」で停止し、前記可動羽根１５ａ，１５ｂが１回または２回開いたときに、球入口１４ａ，１４ｂに遊技球が入賞すると、該遊技球は球検出スイッチ２７ａ，２７ｂを通過して検出される。これにより、前記電動アクチュエータ３２，５９，６３，８０が駆動し、振分部材３１と規制部材３３、進退動型電動部材５８、停留レバー６２、押出し部材７１がそれぞれ設定された時間に従って所定回数作動する。また、押出し部材７１は、センター役物４に遊技球が入賞してから排出されるまでの間に、左右同時に複数回前方へ突出動作を繰り返す。
【００２７】
前記球入口１４ａ，１４ｂの球検出スイッチ２７ａ，２７ｂを通過して検出された遊技球は、凹面状通路２８内に入る。次に、この遊技球は、窓孔２９から後方へ流下するが、電動アクチュエータ３２が消磁して振分部材３１により球落口３８が塞がれているとき、いずれかのワープ通路４０ａ，４０ｂに流入し、その流下端の球出口４１ａ，４１ｂから傾斜棚５２上面に略垂直に落下する。一方、電動アクチュエータ３２が励磁して振分部材３１を後方へ揺動して球落口３８が開放されたとき、窓孔２９から入った遊技球がタイミング良く球落口３８に入ると、該遊技球は、電動アクチュエータ３２が励磁している間、一時的に保留される。よって、後続の遊技球は必然的に球落口３８には入賞せず、いずれかのワープ通路４０ａ，４０ｂに流入する。
【００２８】
そして、前記電動アクチュエータ３２が消磁すると、規制部材３３が下降し前記球落口３８に保留されていた遊技球は支持を失って中央縦通路４３に落下し、規制部材３３に支持された状態で第一球受片４４ａ上面に保持される。更に、電動アクチュエータ３２が励磁すると、規制部材３３が上昇し第一球受片４４ａ上面の遊技球が支持を失って落下し、第二・第三球受片４４ｂ，４４ｃを経て球転動通路４５上面に落下する。該球転動通路４５上面では、遊技球がその球転動通路４５に沿って中央部を中心として左右に減衰しながら往復動する。最終的に減衰した遊技球は、球送り口４６から傾斜棚５２上面に落下する。
【００２９】
傾斜棚５２上面を後方へ転動する遊技球は、間隔５３から人形５１の前に落下したり、該傾斜棚５２上面にて両サイドに位置し回転中の回転型電動部材６６に接触して弾かれたり、或はその透孔６９内に入り、そのままいずれかの透孔６９から曲面棚７０に落下して床面５４上に放出される。そして、前方へ転動して普通入賞口５６または特別入賞口５５に入賞する。この内、遊技球が、間隔５３から落下するとき、図８の鎖線に示すように電動アクチュエータ３２が励磁して進退動型電動部材５８が進出して開いたポケット部５８ａに入ると、該遊技球は通路６０を流下して人形５１の股下部の放出口６１に導かれる。このとき、同図鎖線に示すように電動アクチュエータ６３が励磁して停留レバー６２の上端が床面５４から上方へ突出しているときは、放出口６１にある遊技球はそのまま保持される。ところが、電動アクチュエータ６３が消磁して停留レバー６２の上端が床面５４から下方に位置すると、前記遊技球はまっすぐ流下して特別入賞口５５に容易に入賞する。この場合も特別遊技状態となり、可動羽根１５ａ，１５ｂが所定回数開閉を繰り返す。そして、多数の遊技球がセンター役物４内に入り特別入賞口５５または普通入賞口５６に入賞することから、その間に多くの賞球を獲得できる。
【００３０】
また、電動アクチュエータ６３が励磁して放出口６１で停留レバー６２により遊技球が保持されているとき、通路６０を介してその上に重なって入る遊技球は、サブ放出口６５から床面５４に排出され、ほとんど普通入賞口５６に入賞する。
【００３１】
そこで、ゲームの途中であって、傾斜棚５２の上面を後方へ転動するも人形５１の位置する該傾斜棚５２の中央部に寄らない遊技球は、傾斜棚５２の後端縁から落下するとき押出し部材７１が前方へ突出すると、図１１の鎖線に示すように当て片７５に当てられ傾斜棚５２の上面を前側へ押し返される。このようにして、その遊技球は、当て片７５により押し返される限り傾斜棚５２上面を前後に往復動して傾斜棚５２上面に滞留する時間が長くなる。よって、進退動型電動部材５８に該遊技球が入る機会が多くなり、しかも、特別入賞口５５に入賞するか否かのスリルや期待感に持続性を持たせることができ、これにより遊技の興趣を高められる。
【００３２】
次いで、このパチンコ遊技機に設けられる不正入賞防止装置を説明する。この不正入賞防止装置は、不正の目的で磁石を接近させた場合にその磁力を検知する磁気センサを遊技盤に設けるもので、その磁気センサとしては一対の強磁性体のリードをガラス管内にて接離可能に対向させてなるリードスイッチを使用する。図１２はプリント基板８４に実装したリードスイッチ８５を直方形のプラスチックケース８６内に収容し、導電端子８７を該ケース８６の一端部に設けてなる磁気センサ９０の部分断面斜視図である。この磁気センサ９０は、リードの長手方向に平行に磁力線が走る状況のとき該リードが磁化され易いことから、図１３に示したように、磁気センサ９０の両端部から外方に広がる２つの略球形空間（ヒョウタンのような形状空間）を磁気感知範囲とし、この範囲に磁力線を出す永久磁石、ソレノイド等があるとこれを敏感に感知し得る。
【００３３】
本発明では、このような特性を有する磁気センサ９１ａ，９１ｂを一方の磁気感知範囲が球入口１４ａ，１４ｂの外側となり他方の磁気感知範囲が球入口１４ａ，１４ｂの内側となるように遊技盤面内に配設する。かつまた、前記電動アクチュエータ１８ａ，１８ｂを両磁気感知範囲の狭間に位置させるようにする。なお、その配置状況は図２、図３、および図１４によっても示される。このように正面から見て磁気センサ９１ａ，９１ｂを傾斜状に設けることにより、その両側の磁気感知範囲の狭間（ヒョウタン形の括れた部分）に電動アクチュエータ１８ａ，１８ｂが位置し得る。
【００３４】
このため、電動アクチュエータ１８ａ，１８ｂが励磁されたとき該電動アクチュエータから多少の磁力線が漏出したとしても、磁気センサ９１ａ，９１ｂはその磁力を感知し誤作動することがない。一方、不正の目的で磁石を球入口１４ａ，１４ｂの外側や内側に近づけると、磁気センサ９１ａ，９１ｂはその磁気感知範囲内にある磁力を敏感に感知し作動することから、その作動が電気信号として直ちに管理室に通報され、或いは警報が発せられる。このため磁石を使って遊技球をセンター役物４内に不正に入賞させることを防止することができる。
【００３５】
また、図２、図５〜図７にも示されるように、傾斜棚５２の両側上面に位置する前記ワープ通路４０ａ，４０ｂの下端球出口４１ａ，４１ｂ付近に上記リードスイッチ型の磁気センサ９２ａ，９２ｂが設けられる。ワープ通路４０ａ，４０ｂを通って傾斜棚５２上に垂直に落下した遊技球は傾斜棚５２上にてゆっくりした速度で動くので、遊技球を磁石により吸着し易く、不正が行われやすい箇所であるが、このようにワープ通路４０ａ，４０ｂの下端球出口４１ａ，４１ｂ付近に磁気センサ９２ａ，９２ｂを設けたことにより、その遊技球を磁石に吸着させようとすると直ちに該磁気センサ９２ａ，９２ｂが磁力を検知し得るので、このような不正を確実に防ぐことができる。
【００３６】
また、図２、図３，図７，図８に示したように、前記特別入賞口５５の脇に上記リードスイッチ型の磁気センサ９３を設け、該磁気センサ９３の磁気感知範囲が傾斜棚５２の中央部に及ぶようにしている。このように磁気センサ９３を特別入賞口５５の脇に竪に設けることにより、該磁気センサ９３の一方に延びた磁気感知範囲が傾斜棚５２上にまで及ぶ。このため、該磁気センサ９３は特別入賞口５５付近に不正目的で磁石を近づけた場合は勿論、不正目的で傾斜棚５２上にて遊動している遊技球を磁石に吸引させようとした場合にも直ちに該磁気センサ９３が反応する。これによって、不正な遊技者が磁石を使用してセンター役物４内の遊技球を特別入賞口５５に誘導するような不正行為を全面的に防止することができる。
【図面の簡単な説明】
【００３７】
【図１】本発明に係る不正入賞防止装置が設けられたパチンコ遊技機の遊技盤の正面図。
【図２】図１の遊技盤のセンター役物の正面図。
【図３】同側面図。
【図４】（イ）は一対の可動羽根の斜視図、（ロ）は同作用図。
【図５】（イ）は球停留装置部位の斜視図、（ロ）は同作用図。
【図６】（イ）は球転動通路部位の斜視図、（ロ）同平面断面図。
【図７】遊技室部位を一部断面にして示す斜視図。
【図８】遊技室の側面断面図。
【図９】回転型電動部材の斜視図。
【図１０】（イ）は押出し部材の斜視図、（ロ）は同作用図。
【図１１】同押出し部材の作用を示す側面断面図。
【図１２】磁気センサの部分断面斜視図。
【図１３】磁気センサの磁気感知範囲を示す特性図。
【図１４】球入口付近の磁気センサの配置図。
【符号の説明】
【００３８】
１                      遊技盤
４                      センター役物
１２                    取付基板
１４ａ，１４ｂ          球入口
１５ａ，１５ｂ          可動羽根
１８ａ，１８ｂ          電動アクチュエータ
４０ａ，４０ｂ          ワープ通路
５０                    遊技室
５２                    傾斜棚
５４                    床面
５５                    特別入賞口
５６                    普通入賞口
５８                    進退動型電動部材
８５                    リードスイッチ
９０，９１ａ，９１ｂ    磁気センサ
【図１】
0004633097.tif 000002
【図２】
0004633097.tif 000003
【図３】
0004633097.tif 000004
【図４】
0004633097.tif 000005
【図５】
0004633097.tif 000006
【図６】
0004633097.tif 000007
【図７】
0004633097.tif 000008
【図８】
0004633097.tif 000009
【図９】
0004633097.tif 000010
【図１０】
0004633097.tif 000011
【図１１】
0004633097.tif 000012
【図１２】
0004633097.tif 000013
【図１３】
0004633097.tif 000014
【図１４】
0004633097.tif 000015